(57)【特許請求の範囲】
【請求項１】
交流用の電球および直流用の電球が取付け可能な電球用のソケットであって、
前記交流用の電球は、交流電流が通電されることにより発光する発光部分を収容する交流バルブ部と、当該交流バルブ部から外方へ突出する交流軸部と、前記交流軸部の先端側に配置された第１交流電極および第２交流電極とを備え、前記第２交流電極は、前記交流軸部の先端側において、当該交流軸部の軸中心に配置され、かつ、前記直流用の電球は、直流電流が通電されることにより発光する発光部分を収容する直流バルブ部と、当該直流バルブ部から外方へ突出する直流軸部と、前記直流軸部の先端側に配置された第１直流電極および第２直流電極とを備え、前記第２直流電極は、前記直流軸部の先端側において、当該直流軸部の軸中心の周囲において、前記第２交流電極の外周よりも大きい円周上に配置されているものであり、
前記ソケットは、
前記交流軸部および前記直流軸部を選択的に挿入可能な挿入口を有する本体ケースと、
前記本体ケースの内部に収容され、当該本体ケースの挿入口に挿入された前記交流軸部を保持するとともに前記第１交流電極に電気的に接続可能な交流電球保持部と、
前記本体ケースの内部に収容され、前記交流軸部が前記交流電球保持部に保持されたときに前記第２交流電極に電気的に接続可能な交流用接点と、
前記交流電球保持部よりも前記本体ケースの奥側に収容され、当該本体ケースの挿入口に挿入された前記直流軸部を前記交流電球保持部よりも奥側で保持するとともに前記第１直流電極に電気的に接続可能な直流電球保持部と、
前記本体ケースの内部に収容され、前記直流軸部が前記直流電球保持部に保持されたときに前記第２直流電極に電気的に接続可能な直流用接点と、
を備えており、
前記直流電球保持部および前記直流用接点は、前記第１交流電極および第２交流電極との接触が規制されるような位置に配置されており、
前記交流用接点は、前記第２直流電極との接触が規制されるような位置に配置され、
前記直流用接点および前記交流用接点は、前記本体ケースの内部における挿入口に対向する底面に配置され、
前記交流用接点は、前記底面の中心に配置され、
前記直流用接点は、前記交流用接点から離間した状態で当該交流用接点の外周を取り囲む円周上に配置されている
ことを特徴とする、
電球用ソケット。
【請求項２】
前記直流用接点は、円環状をしており、前記交流用接点の外周を取り囲むように当該交流用接点と同軸状に配置されている、
請求項１に記載の電球用ソケット。
【請求項３】
前記交流用接点は、前記本体ケースの底面から挿入口へ向けて突出しており、当該交流用接点の突出長さは、前記交流用の電球の第１交流電極が前記直流電球保持部に接触しない位置で当該交流用の電球の第２交流電極が当該交流用接点に突き当たることを可能にする長さに設定されている、
請求項１または２に記載の電球用ソケット。
【請求項４】
前記直流電球保持部は、前記交流電球保持部から当該交流電球保持部の軸方向に離間して配置されている、
請求項１から３のいずれか１項に記載の電球用ソケット。
【請求項５】
前記直流電球保持部は、非常用の電球が保持可能であり、かつ、当該非常用の電球は、直流電流が通電されることにより発光する発光部分を収容する非常バルブ部と、当該非常バルブ部から外方へ突出し、前記直流電球保持部に保持される非常軸部と、前記非常軸部の先端側に配置された前記第１非常電極および前記第２非常電極とを備え、かつ、前記第２非常電極は、前記非常軸部の先端側において、当該非常軸部の軸中心の周囲において、前記第２交流電極の外周よりも大きい内周を有するように円環状に形成されているものであり、
前記直流電球保持部は、前記本体ケースの挿入口に挿入された前記非常軸部を前記交流電球保持部よりも奥側で保持するとともに前記第１非常電極に電気的に接続可能であり、
前記本体ケースの底面に配置され、前記非常用の電球の第２非常電極に電気的に接続可能な非常用接点をさらに備えており、
前記非常用接点は、円環状をしており、かつ、前記交流用接点および前記直流用接点から離間した状態で当該交流用接点の外周を取り囲むように前記交流用接点および前記直流用接点と同軸状に配置されている、
請求項１から４のいずれか１項に記載の電球用ソケット。
【請求項６】
請求項１に記載の電球用ソケットに接続可能な直流用の電球であって、
直流電流が通電されることにより発光する発光部分を収容する前記直流バルブ部と、
当該直流バルブ部から外方へ突出する前記直流軸部と、
前記直流軸部の先端側に配置された前記第１直流電極および前記第２直流電極と
を備えており、
前記第２直流電極は、前記直流軸部の先端側において、当該直流軸部の軸中心の周囲において、前記第２交流電極の外周よりも大きい内周を有するように円環状に形成されている、
ことを特徴とする、
直流用の電球。
【請求項７】
前記直流バルブ部から前記第１直流電極までの距離は、前記交流用の電球における前記交流バルブ部から前記第１交流電極までの距離より長く設定されている、
請求項６に記載の直流用の電球。
【請求項８】
前記直流用の電球の発光部分は、ＬＥＤからなる、
請求項６または７に記載の直流用の電球。
【請求項９】
請求項１記載の電球用ソケットと、
当該ソケットに接続される直流用の電球とを備えており、
前記直流用の電球は、直流電流が通電されることにより発光する発光部分を収容する直流バルブ部と、当該直流バルブ部から外方へ突出する直流軸部と、前記直流軸部の先端側に配置された前記第１直流電極および前記第２直流電極とを備えており、前記第２直流電極は、前記直流軸部の先端側において、当該直流軸部の軸中心の周囲において、前記第２交流電極の外周よりも大きい内周を有するように円環状に形成されている
ことを特徴とする、
照明装置。
【請求項１０】
請求項１記載の電球用ソケットと、
前記電球用ソケットの直流電球保持部と直流用接点との間に直流電流を供給する直流用電源と、
前記電球用ソケットの交流電球保持部と交流用接点との間に交流電流を供給する交流用電源と、
を備えていることを特徴とする照明システム。
【請求項１１】
前記直流用電源は、太陽電池を備えている、
請求項１０に記載の照明システム。
【発明の詳細な説明】
【技術分野】
【０００１】
本発明は、交流直流兼用の電球用ソケットに関する。また、本発明は、当該電球用ソケットに保持可能な直流用の電球、当該電球用ソケットを含む照明装置、および当該電球用ソケットを含む照明システムに関する。
【背景技術】
【０００２】
従来より、施設内の照明には、白熱電球などの交流用の電球が多く用いられている。このような白熱電球は、それに対応する交流専用の既存の電球用ソケットに取り付けるだけで点灯可能な状態にセットすることが可能である。
【０００３】
近年、特許文献１のように、省電力の観点から交流用の電球用ソケットとして白熱電球などの通常の交流用電球よりも消費電力の小さいＬＥＤ（発光ダイオード）電球が普及してきている。ＬＥＤ電球は、通常の白熱電球とほぼ同じ外観形状を有しており、とくに口金の形状が従来の白熱電球の口金の形状と共通しているので、そのまま通常の電球用ソケットに取り付けて使用することが可能である。
【先行技術文献】
【特許文献】
【０００４】
【特許文献１】特開２００１−２４３８０７号公報
【発明の概要】
【発明が解決しようとする課題】
【０００５】
しかし、ＬＥＤ電球の発光部分であるＬＥＤは、元々直流電流を供給すれば発光可能であるのにかかわらず、ＬＥＤ電球の内部においての交流直流（ＡＣ／ＤＣ）変換回路で電球用ソケットに供給された交流電流を直流電流に変換した後にＬＥＤに供給しているので、変換損失が生じ、電力効率の向上が困難である。また、ＡＣ／ＤＣ変換時に変換回路が発熱するので、放熱板を設けるなどの対策を講じる必要がある。
【０００６】
また、近年では、太陽光発電や燃料電池が企業や家庭で普及してきているが、太陽光発電などによって得られる電気は、直流電流であるにもかかわらず、一般家屋や建造物内の既存の交流用の配線に送るために、交流電流に一旦変換してから当該交流電流用配線に送っている。そのため、直流から交流への変換時においても変換損失が生じて電力効率の向上ならびに省電力化が困難になっている。
【０００７】
一方、太陽光発電などで発電された直流電流をそのまま用いてＬＥＤなどを発光させることが可能な直流専用の電球を用いれば、変換損失が生じることなく電力効率を向上させることが可能となる。しかし、直流専用のソケットと交流専用のソケットを別々に設けたのでは、これらのソケットを設置するために広いスペースが必要となり、また、施工の手間もかかる。さらに、美観の向上も難しくなるという問題もある。
【０００８】
また、新規に開発される直流専用の電球を既存の交流用電球と同じ形状にし、それとともに当該直流用電球に対応する直流専用のソケットを既存の交流専用のソケットと同じ形状にすれば、直流用電球を既存の交流用のソケットに誤って取り付けたり、またはその反対に、交流用電球を直流専用のソケットに誤って取り付けたりするおそれがあり、また、誤った取付けによってこれらの電球が故障するおそれがある。
【０００９】
本発明は、上記のような事情に鑑みてなされたものであり、交流用電球および直流用電球のいずれかが保持されたときに各電球に応じた電流を供給することが可能であり、かつ、誤った取り付けを確実に回避することが可能な電球用ソケットおよびそれを用いた照明システムを提供することを目的とする。
【課題を解決するための手段】
【００１０】
上記課題を解決するためのものとして、本発明の電球用ソケットは、交流用の電球および直流用の電球が取付け可能な電球用のソケットであって、前記交流用の電球は、交流電流が通電されることにより発光する発光部分を収容する交流バルブ部と、当該交流バルブ部から外方へ突出する交流軸部と、前記交流軸部の先端側に配置された第１交流電極および第２交流電極とを備え、前記第２交流電極は、前記交流軸部の先端側において、当該交流軸部の軸中心に配置され、かつ、前記直流用の電球は、直流電流が通電されることにより発光する発光部分を収容する直流バルブ部と、当該直流バルブ部から外方へ突出する直流軸部と、前記直流軸部の先端側に配置された第１直流電極および第２直流電極とを備え、前記第２直流電極は、前記直流軸部の先端側において、当該直流軸部の軸中心の周囲において、前記第２交流電極の外周よりも大きい円周上に配置されているものであり、前記ソケットは、前記交流軸部および前記直流軸部を選択的に挿入可能な挿入口を有する本体ケースと、前記本体ケースの内部に収容され、当該本体ケースの挿入口に挿入された前記交流軸部を保持するとともに前記第１交流電極に電気的に接続可能な交流電球保持部と、前記本体ケースの内部に収容され、前記交流軸部が前記交流電球保持部に保持されたときに前記第２交流電極に電気的に接続可能な交流用接点と、前記交流電球保持部よりも前記本体ケースの奥側に収容され、当該本体ケースの挿入口に挿入された前記直流軸部を前記交流電球保持部よりも奥側で保持するとともに前記第１直流電極に電気的に接続可能な直流電球保持部と、前記本体ケースの内部に収容され、前記直流軸部が前記直流電球保持部に保持されたときに前記第２直流電極に電気的に接続可能な直流用接点と、を備えており、前記直流電球保持部および前記直流用接点は、前記第１交流電極および第２交流電極との接触が規制されるような位置に配置されており、前記交流用接点は、前記第２直流電極との接触が規制されるような位置に配置され、前記直流用接点および前記交流用接点は、前記本体ケースの内部における挿入口に対向する底面に配置され、前記交流用接点は、前記底面の中心に配置され、前記直流用接点は、前記交流用接点から離間した状態で当該交流用接点の外周を取り囲むように円周上に配置されている、ことを特徴とする。
【００１１】
かかる構成によれば、交流用電球および直流用電球を選択的に通常の電球取付作業の要領で本発明の電球用ソケットに取り付けるだけでそれに対応する電極に正しく接続して使用することが可能である。
【００１２】
すなわち、本体ケースの内部には、交流用の電球を保持するとともに当該交流用の電球の第１交流電極に電気的に接続可能な交流電球保持部、および交流用の電球の第２交流電極に電気的に接続可能な交流用接点が収容されているので、交流用の電球をソケットに取り付けたときには、本体ケースの挿入口から挿入された交流用の電球の交流軸部が交流電球保持部に保持されるとともに第１交流電極が交流電球保持部に電気的に接続される。そして、交流軸部が交流電球保持部に保持されたときには、第２交流電極が交流用接点に接触する。これにより、交流用の電球を通常の電球取付作業の要領で電球用ソケットに取り付けるだけで、交流用の電球をソケットに対して正しく電気的に接続することが可能である。
【００１３】
また、本体ケースの内部には、直流用の電球を保持するとともに当該直流用の電球の第１直流電極に電気的に接続可能な直流電球保持部、および直流用の電球の第２直流電極に電気的に接続可能な直流用接点が収容されている。この直流電球保持部は、交流電球保持部よりも本体ケースの奥側に収容されている。そのため、直流用の電球をソケットに取り付けたときには、直流用の電球の直流軸部が本体ケースの挿入口から挿入されるとともに交流電球保持部よりも奥側で直流電球保持部に保持され、それとともに第１直流電極が直流電球保持部に電気的に接続される。そして、直流軸部が直流電球保持部に保持されたときには、第２直流電極が直流用接点に接触する。これにより、直流用の電球を通常の電球取付作業の要領で電球用ソケットに取り付けるだけで、直流用の電球をソケットに対して正しく電気的に接続することが可能である。
【００１４】
しかも、直流電球保持部および直流用接点は、交流用の電球における第１交流電極および第２交流電極との接触が規制されるような位置に配置されているので、交流用の電球における第１および第２交流電極が直流電球保持部および直流用接点に誤って接触するなどの不具合を確実に回避することが可能である。また、交流用接点は、直流用の電球における第２直流電極との接触が規制されるような位置に配置されているので、直流用の電球における第２直流電極が交流用接点に誤って接触するなどの不具合を確実に回避することが可能である。これによって、電球の取付け作業の簡便化と接続ミスの回避を同時に達成することが可能である。
また、上記の構成によれば、電球用ソケットに接続される直流用の電球は、一般的に広く用いられている交流用の電球に対して、軸部先端側の電極の形状および配置が大きく異なっている。すなわち、直流用の電球の第２直流電極は、直流軸部の先端側において、当該直流軸部の軸中心の周囲において、第２交流電極の外周よりも大きい円周上に配置されている。このような直流用の電球に対応するように、この電球用ソケットでは、直流用接点は、交流用接点から離間した状態で交流用接点の外周を取り囲む円周上に配置されている。これにより、直流用の電球を通常の電球取付作業の要領で電球用ソケットに取り付けるだけで、第２直流電極を直流用接点に接触させることができる。
前記直流用接点は、円環状をしており、前記交流用接点の外周を取り囲むように当該交流用接点と同軸状に配置されているのが好ましい。
【００１５】
また、前記交流用接点は、前記本体ケースの底面から挿入口へ向けて突出しており、当該交流用接点その突出長さは、前記交流用の電球の第１交流電極が前記直流電球保持部に接触しない位置で当該交流用の電球の第２交流電極が当該交流用接点に突き当たることを可能にする長さに設定されているのが好ましい。
【００１７】
上記の構成によれば、交流用接点は、本体ケースの底面から挿入口へ向けて突出しており、その突出長さは、交流用の電球の第１交流電極が直流電球保持部に接触しない位置で当該交流用の電球の第２交流電極が当該交流用接点に突き当たることを可能にする長さに設定されているので、交流用の電球を通常の電球取付作業の要領で電球用ソケットに取り付けるだけで、第１交流電極を交流電球保持部に接触させるとともに、第２交流電極を本体ケースの底面から挿入口へ向けて突出している交流用接点に接触させることができる。しかも、交流用の電球の第２交流電極は、第１交流電極が直流電球保持部に接触しない位置で本体ケースの底面から突出する交流用接点に突き当たるので、第１交流電極と直流電球保持部との接触を確実に回避することができる。さらに、第２交流電極が本体ケースの底面から突出する交流用接点に突き当たることによって、第２交流電極も本体ケースの底面の直流用接点との接触を確実に回避することができる。これによって、電球の取付け作業の簡便化と接続ミスの回避を同時に達成することが可能である。
【００１８】
また、前記直流電球保持部は、前記交流電球保持部から当該交流電球保持部の軸方向に離間して配置されているのが好ましい。
【００１９】
かかる構成によれば、直流電球保持部が交流電球保持部から当該交流電球保持部の軸方向に離間しているので、交流用の電球が交流電球保持部に保持されたときに第１交流電極が直流電球保持部に接触するおそれを確実に回避することが可能である。
【００２０】
また、前記直流電球保持部は、非常用の電球が保持可能であり、かつ、当該非常用の電球は、直流電流が通電されることにより発光する発光部分を収容する非常バルブ部と、当該非常バルブ部から外方へ突出し、前記直流電球保持部に保持される非常軸部と、前記非常軸部の先端側に配置された前記第１非常電極および前記第２非常電極とを備え、かつ、前記第２非常電極は、前記非常軸部の先端側において、当該非常軸部の軸中心の周囲において、前記第２交流電極の外周よりも大きい内周を有するように円環状に形成されているものであり、前記直流電球保持部は、前記本体ケースの挿入口に挿入された前記非常軸部を前記交流電球保持部よりも奥側で保持するとともに前記第１非常電極に電気的に接続可能であり、前記本体ケースの底面に配置され、前記非常用の電球の第２非常電極に電気的に接続可能な非常用接点をさらに備えており、前記非常用接点は、円環状をしており、かつ、前記交流用接点および前記直流用接点から離間した状態で当該交流用接点の外周を取り囲むように前記交流用接点および前記直流用接点と同軸状に配置されているのが好ましい。
【００２１】
かかる構成によれば、一般的に広く用いられている交流用の電球と異なる直流電流で使用可能な非常用の電球を用いることにより、１つの電球用ソケットに交流用電球および直流用電球とは別に、非常用の電球を取り付けるだけでそれに対応する非常用の電極に正しく接続して使用することが可能である。
【００２２】
この非常用の電球は、一般的に広く用いられている交流用の電球に対して、直流用の電球と同様に、軸部先端側の電極の形状および配置が大きく異なっている。すなわち、第２非常電極は、非常軸部の先端側において、当該非常軸部の軸中心の周囲において、第２交流電極の外周よりも大きい内周を有するように円環状に形成されている。このような非常用の電球に対応するように、電球用ソケットは、非常用接点をさらに備えた構成を有している。非常用接点は、円環状をしており、かつ、交流用接点および直流用接点から離間した状態で当該交流用接点の外周を取り囲むように交流用接点および直流用接点と同軸状に配置されている。これにより、非常用の電球を通常の電球取付作業の要領で電球用ソケットに取り付けるだけで、第１非常電極を直流電球保持部に接触させるとともに、第２非常電極を非常用接点に接触させて、当該非常用の電球を使用することが可能である。具体的には、非常用の電球をソケットに取り付けたときには、非常用の電球の非常軸部が本体ケースの挿入口から挿入されるとともに交流電球保持部よりも奥側で直流電球保持部に保持され、それとともに第１非常電極が直流電球保持部に電気的に接続される。そして、非常軸部が直流電球保持部に保持されたときには、第２非常電極が非常用接点に接触する。これにより、非常用の電球に直流電流を供給することが可能になる。
【００２３】
また、本発明の直流用の電球は、前記電球用ソケットに接続可能な直流用の電球であって、直流電流が通電されることにより発光する発光部分を収容する前記直流バルブ部と、当該直流バルブ部から外方へ突出する前記直流軸部と、前記直流軸部の先端側に配置された前記第１直流電極および前記第２直流電極とを備えており、前記第２直流電極は、前記直流軸部の先端側において、当該直流軸部の軸中心の周囲において、前記第２交流電極の外周よりも大きい内周を有するように円環状に形成されていることを特徴とする。
【００２４】
かかる構成によれば、直流用の電球は、一般的に広く用いられている交流用の電球に対して、軸部先端側の電極の形状および配置が大きく異なっている。すなわち、第２直流電極は、直流軸部の先端側において、当該直流軸部の軸中心の周囲において、第２交流電極の外周よりも大きい内周を有するように円環状に形成されている。このような直流用の電球に対応するように、直流用接点は、円環状をしており、かつ、交流用接点の外周を取り囲むように当該交流用接点と同軸状に配置されている。これにより、直流用の電球を通常の電球取付作業の要領で電球用ソケットに取り付けるだけで、直流軸部が交流電球保持部よりも奥側で直流電球保持部に保持されたときに、第１直流電極を直流電球保持部に接触させるとともに、第２直流電極を直流用接点に確実に接触させることができる。
【００２５】
また、前記直流バルブ部から前記第１直流電極までの距離は、前記交流用の電球における前記交流バルブ部から前記第１交流電極までの距離より長く設定されているのが好ましい。
【００２６】
かかる構成によれば、直流軸部は、交流電球保持部を確実に貫通して直流電球保持部により安定した状態で保持されることが可能である。
【００２７】
また、前記直流用の電球の発光部分は、ＬＥＤからなるのが好ましい。
【００２８】
かかる構成によれば、直流用の電球の発光部分がＬＥＤからなり、当該ＬＥＤに直流電流をそのまま通電して発光することが可能であり、ＡＣ／ＤＣ変換時の変換損失が生じることなく省電力化を達成できる。
【００２９】
また、本発明の照明装置は、前記電球用ソケットと、当該ソケットに接続される直流用の電球とを備えており、前記直流用の電球は、直流電流が通電されることにより発光する発光部分を収容する直流バルブ部と、当該直流バルブ部から外方へ突出する直流軸部と、前記直流軸部の先端側に配置された前記第１直流電極および前記第２直流電極とを備えており、前記第２直流電極は、前記直流軸部の先端側において、当該直流軸部の軸中心の周囲において、前記第２交流電極の外周よりも大きい内周を有するように円環状に形成されていることを特徴とする。
【００３０】
かかる構成によれば、ソケットに接続される直流用の電球は、一般的に広く用いられている交流用の電球に対して、軸部先端側の電極の形状および配置が大きく異なっている。すなわち、第２直流電極は、直流軸部の先端側において、当該直流軸部の軸中心の周囲において、第２交流電極の外周よりも大きい内周を有するように円環状に形成されている。このような直流用の電球に対応するように、直流用接点は、円環状をしており、かつ、交流用接点の外周を取り囲むように当該交流用接点と同軸状に配置されている。これにより、直流用の電球を通常の電球取付作業の要領で電球用ソケットに取り付けるだけで、直流軸部が交流電球保持部よりも奥側で直流電球保持部に保持されたときに、第１直流電極を直流電球保持部に接触させるとともに、第２直流電極を直流用接点に確実に接触させることができる。そして、直流電球保持部と直流用接点との間に直流電流を供給することにより、直流用の電球を用いて照明を行うことができる。
【００３１】
また、本発明の照明システムは、前記電球用ソケットと、前記電球用ソケットの直流電球保持部と直流用接点との間に直流電流を供給する直流用電源と、前記電球用ソケットの交流電球保持部と交流用接点との間に交流電流を供給する交流用電源と、を備えていることを特徴とする。
【００３２】
かかる構成によれば、交流用電球および直流用電球を選択的に通常の電球取付作業の要領で本発明の電球用ソケットに取り付けるだけでそれに対応する電極に正しく接続して使用することが可能である。
【００３３】
すなわち、交流用の電球をソケットに取り付けたときには、交流用の電球の交流軸部が交流電球保持部に保持されるとともに第１交流電極が交流電球保持部に接触し、それとともに第２交流電極が交流用接点に接触する。それによって、当該電球用ソケットを介して当該交流用の電球に交流電源からの交流電流を供給して照明を行うことができる。
【００３４】
一方、直流用の電球をソケットに取り付けたときには、直流用の電球の直流軸部が直流電球保持部に保持されるとともに第１直流電極が直流電球保持部に接触し、それとともに第２直流電極が直流用接点に接触する。それによって、当該電球用ソケットを介して当該直流用の電球に直流電源からの直流電流を供給して照明を行うことができる。しかも、電球用ソケットにおける直流電球保持部および直流用接点は、交流用の電球における第１交流電極および第２交流電極との接触が規制されるような位置に配置されているので、交流用の電球における第１および第２交流電極が直流電球保持部および直流用接点に誤って接触するなどの不具合を確実に回避することが可能である。また、交流用接点は、直流用の電球における第２直流電極との接触が規制されるような位置に配置されているので、直流用の電球における第２直流電極が交流用接点に誤って接触するなどの不具合を確実に回避することが可能である。これによって、電球の取付け作業の簡便化と接続ミスの回避を同時に達成することが可能である。
【００３５】
また、前記直流用電源は、太陽電池を備えているのが好ましい。
【００３６】
かかる構成によれば、太陽電池で得られた直流電流をＡＣ／ＤＣ変換せずにそのままソケットを介して、直流用の電球へ供給することが可能であり、ＡＣ／ＤＣ変換時の変換損失が生じることなく省電力化を達成できる。しかも、太陽電池による自家発電の電気を当該太陽電池が取り付けられた施設の照明に直接利用できるので、ランニングコストを低減することが可能である。
【発明の効果】
【００３７】
以上説明したように、本発明によれば、交流用電球および直流用電球のいずれか１つが選択されて通常の電球取付作業の要領で本発明の電球用ソケットに対して保持されたときには各電球に対応した交流電流または直流電流を供給することが可能であり、誤った取付けを確実に回避することが可能である。
【００３８】
しかも、１つの電球用ソケットで交流用の電球および直流用の電球の両方を接続することが可能であるので、交流専用のソケットおよび直流専用のソケットを用意する必要がなくなり、設置場所を広くする必要がなく、また、施工の手間も低減することが可能である。さらに、ソケットの削減によって美観の向上が可能になる。
【図面の簡単な説明】
【００３９】
【図１】本発明の電球用ソケットの実施形態に係る電球ソケットを含む照明システムの断面説明図である。
【図２】図１の電球用ソケットに交流用電球が取り付けられた状態を示す断面説明図である。
【図３】（ａ）は図１の電球用ソケットに取り付けることが可能な直流ＬＥＤ電球の一部切欠正面図、（ｂ）は、図３（ａ）の直流軸部を上から見た図である。
【図４】図１の電球用ソケットに直流ＬＥＤ電球が取り付けられた状態を示す断面説明図である。
【図５】図１の電球用ソケットに取り付けることが可能な非常用ＬＥＤ電球の一部切欠正面図である。
【図６】図１の電球用ソケットに非常用ＬＥＤ電球が取り付けられた状態を示す断面説明図である。
【図７】本発明の変形例として通常灯用のＬＥＤおよび非常灯用ＬＥＤを併存する直流ＬＥＤ電球が、図１の電球用ソケットに取り付けられた状態を示す断面説明図である。
【図８】本発明の他の変形例として通常灯用のＬＥＤおよび非常灯用ＬＥＤを併存する直流ＬＥＤ電球が、図１の電球用ソケットに取り付けられた状態を示す断面説明図である。
【発明を実施するための形態】
【００４０】
図１に示されるように、本発明の電球用ソケット１を含む照明システムは、以下のように構成されている。
【００４１】
図１に示される照明システムは、電球用ソケット１（以下、ソケット１という）と、交流電源５１と、太陽電池５２と、蓄電池などの非常用直流（ＤＣ）電源５３とを備えている。ソケット１は、配線Ｌ１、Ｌ２を介して交流電源５１から交流電流が供給される。また、ソケット１は、これらの配線Ｌ１、Ｌ２とは別の配線Ｌ３、Ｌ４およびＬ５を経由して、太陽電池５２または非常用ＤＣ電源５３から直流電流が供給される。太陽電池５２は、本発明の直流電源に対応する。
【００４２】
ソケット１は、３種類の電球、すなわち、交流電球１１（図２参照）、直流ＬＥＤ電球２１（図３（ａ）および（ｂ）参照）、および非常用ＬＥＤ電球３１（図５参照）を取り付けることが可能な構成を有している。
【００４３】
ソケット１は、図１に示される基本的な構成として、本体ケース２と、交流用めねじ電極３と、交流用接点部４と、直流用めねじ電極５と、直流用接点部６と、非常用接点部７と、絶縁体８とを備えている。
【００４４】
ここで、交流用めねじ電極３は、本発明の交流電球保持部に含まれる概念であり、交流用接点部４は本発明の交流用接点に含まれる概念である。また、直流用めねじ電極５は、本発明の直流電球保持部に含まれる概念であり、直流用接点部６は本発明の直流用接点に含まれる概念である。
【００４５】
本体ケース２は、一端に底部２ｂを有する筒状の部材であり、絶縁材料からなる。筒状の本体ケース２の一端は、底部２ｂで閉じられ、その他端には挿入口２ａが形成されている。
【００４６】
本体ケース２の内部には、その内周壁に沿って挿入口２ａに近い方から順に交流用めねじ電極３および直流用めねじ電極５が配置され、交流用めねじ電極３と直流用めねじ電極５との間には、絶縁体８が介在している。
【００４７】
絶縁体８の長さは、直流ＬＥＤ電球２１（図３（ａ）および（ｂ）参照）、および非常用ＬＥＤ電球３１（図５参照）のそれぞれのおねじ電極２４、３４の長さより長くなるように設定されている。これにより、各おねじ電極２４、３４が交流用めねじ電極３および直流用めねじ電極５に同時に接触することを防止できる。
【００４８】
また、本体ケース２の内部における挿入口２ａに対向する底面２ｃ（すなわち、底部２ｂの内側の面）の中心には、交流用接点部４が配置され、連続した円環状の非常用接点部７および直流用接点部６が当該交流用接点部４と同軸状に配置されている。
【００４９】
（交流電球１１を取り付けるためのソケット１の具体的構成）
つぎに、交流電球１１、およびそれを取り付けるためのソケット１の具体的構成について説明する。
【００５０】
図２に示されるように、ソケット１に接続される交流電球１１は、交流電流により発光する市販の電球、例えば白熱電球などからなり、ＪＩＳ規格などの規格に適合した寸法および形状を有している。交流電球１１は、交流バルブ部１２と、当該交流バルブ部１２から外方へ突出する交流軸部１３と、おねじ電極１４と、中心電極１５とを備えている。
【００５１】
ここで、おねじ電極１４は、本発明の第１交流電極に含まれる概念であり、中心電極１５は本発明の第２交流電極に含まれる概念である。
【００５２】
交流バルブ部１２は、例えば、交流電球１１が白熱電球の場合には、交流電流が通電されることにより発光する発光部分であるフィラメントと、当該フィラメントを収容する透明なガラスバルブとからなる。
【００５３】
おねじ電極１４および中心電極１５は、交流軸部１３の先端側に配置されている。具体的には、おねじ電極１４は、交流軸部１３の先端側の側周面に設けられ、おねじ部１４ａを有する。中心電極１５は、交流軸部１３の先端側において、当該交流軸部１３の軸中心に配置されている。
【００５４】
なお、交流電球１１は、ＬＥＤおよびＡＣ／ＤＣ変換回路を備えた市販の交流用ＬＥＤ電球を用いてもよい。
【００５５】
上記のように構成された交流電球１１のおねじ電極１４および中心電極１５は、ソケット１の交流用めねじ電極３および交流用接点部４にそれぞれ電気的に接続される。
【００５６】
交流用めねじ電極３は、本体ケース２の挿入口２ａに挿入された交流電球１１の交流軸部１３を保持可能な筒状の形状を有する。交流用めねじ電極３は、交流軸部１３が保持されたときに交流電球１１のおねじ電極１４と螺合して電気的に接続される。具体的には、交流用めねじ電極３は、導電性を有する金属材料からなり、その内周面には、めねじ部３ａが形成されている。めねじ３ａは、交流用電球のおねじ電極１４の外周のおねじ部１４ａ（図２参照）と螺合可能な形状を有している。また、交流用めねじ電極３の全長は、後述する直流ＬＥＤ電球２１の直流軸部２３（図４参照）および非常用ＬＥＤ電球３１の非常軸部３３（図６参照）が交流用めねじ電極３を貫通できるように、これら直流軸部２３および非常軸部３３の長さよりも短くなるように設定されている。
【００５７】
交流用めねじ電極３は、本体ケース２の内部に収容され、その挿入口２ａに近い位置に配置されている。
【００５８】
交流用めねじ電極３は、配線Ｌ１を介して、本体ケース２の外部の交流電源５１に接続されている。
【００５９】
交流用接点部４は、交流電球１１の交流軸部１３が交流用めねじ電極３に保持されたときに交流電球１１の中心電極１５に電気的に接続可能な形状を有する。具体的には、交流用接点部４は、本体ケース２の内部における挿入口２ａに対向する底面２ｃの中心から挿入口２ａに向けて突出する丸棒からなる。交流用接点部４における底面２ｃから先端までの突出長さは、交流電球１１のおねじ電極１４が直流用めねじ電極５に接触しない位置で当該交流電球１１の中心電極１５が当該交流用接点部４に突き当たることが可能な長さに設定されている。
【００６０】
交流用接点部４は、配線Ｌ２を介して、本体ケース２の外部の交流電源５１に接続されている。
【００６１】
図２に示されるように、交流電球１１を通常の電球取付作業の要領で当該交流電球１１のおねじ電極１４をソケット１の交流用めねじ電極３に螺合することによってソケット１に取り付けることにより、おねじ電極１４を交流用めねじ電極３に接触させるとともに、中心電極１５を本体ケース２の底面２ｃから挿入口２ａへ向けて突出している交流用接点部４に接触させることができる。
【００６２】
図２に示されるように、交流電球１１をソケット１に接続することにより、交流電球１１を交流電源５１から供給される交流電流で発光させる照明装置が構成される。具体的には、交流電球１１をソケット１に取り付けたときには、交流電球１１の交流軸部１３が交流用めねじ電極３に保持されるとともに当該交流電球１１のおねじ電極１４が交流用めねじ電極３に接触し、それとともに中心電極１５が交流用接点部４に接触する。これにより、交流電源５１と交流電球１１とを含む交流回路が形成される。
【００６３】
（直流ＬＥＤ電球２１を取り付けるための具体的構成）
つぎに、直流ＬＥＤ電球２１、およびそれを取り付けるためのソケット１の具体的構成について説明する。
【００６４】
図３（ａ）ならびに（ｂ）および図４に示されるように、ソケット１に接続される直流ＬＥＤ電球２１は、直流バルブ部２２と、当該直流バルブ部２２から外方へ突出する直流軸部２３と、おねじ電極２４と、円環状電極２５とを備えている。
【００６５】
ここで、おねじ電極２４は、本発明の第１直流電極に含まれる概念であり、円環状電極２５は本発明の第２直流電極に含まれる概念である。
【００６６】
直流バルブ部２２は、直流電流が通電されることにより発光する発光部分としてＬＥＤ（図示せず）を収容する。
【００６７】
直流軸部２３は、絶縁材からなる。直流軸部２３の先端側には、おねじ電極２４および円環状電極２５が互いに絶縁された状態で配置されている。
【００６８】
具体的には、おねじ電極２４は、直流軸部２３の先端側の側周面に設けられ、おねじ部２４ａを有する。円環状電極２５は、図３（ａ）および（ｂ）に示されるように、直流軸部２３の先端側において、当該直流軸部２３の軸中心の周囲において、上記の交流電球１１の中心電極１５の外周よりも大きい内周を有するように連続した円環状に形成されている。円環状電極２５は、直流軸部２３の先端面２３ａから突出した突出部２６の先端に設けられており、おねじ電極２４から離間している。図３（ａ）および（ｂ）に示されるように、円環状電極２５は、直流軸部２３の軸心Ｏ１を中心として、直流軸部２３およびおねじ電極２４と同心円上に配置されている。
【００６９】
おねじ電極２４および円環状電極２５は、図示しない直流軸部２３の内部配線によって、直流バルブ部２２の内部に収容されたＬＥＤと電気的に接続されている。
【００７０】
また、直流軸部２３の先端面２３ａの中心の位置には、ソケット１の本体ケース２の底面２ｃから突出する交流接点部４が挿入可能な挿入孔２７が形成されている。
【００７１】
直流ＬＥＤ電球２１における直流バルブ部２２からおねじ電極２４までの距離Ｙ２（図４参照）は、交流電球１１における交流バルブ部１２からおねじ電極１４までの距離Ｙ１（図２参照）より長く（具体的には、当該距離Ｙ１とおねじ電極１４の長さＹ０の和より長く）設定されている。これにより、直流ＬＥＤ電球２１の直流軸部２３は、ソケット１の交流用めねじ電極３を確実に貫通して直流用めねじ電極５により安定した状態で保持されることが可能である。
【００７２】
上記のように構成された直流ＬＥＤ電球２１のおねじ電極２４および円環状電極２５は、ソケット１の直流用めねじ電極５および直流用接点部６にそれぞれ電気的に接続される。
【００７３】
直流用めねじ電極５は、交流用めねじ電極３と同軸状で、かつ、交流用めねじ電極３よりも本体ケース２の奥側に配置されている。直流用めねじ電極５は、本体ケース２の挿入口２ａに挿入された直流軸部２３を交流電球保持部３よりも奥側で保持することが可能な筒状の形状を有している。
【００７４】
直流用めねじ電極５は、直流軸部２３が保持されたときに直流ＬＥＤ電球２１の外周のおねじ電極２４（図４参照）と螺合して電気的に接続される。
【００７５】
直流用めねじ電極５は、導電性を有する金属材料からなり、その内周面には、めねじ部５ａが形成されている。めねじ部５ａは、直流ＬＥＤ電球２１のおねじ電極２４の外周のおねじ部２４ａ（図４参照）と螺合するような形状を有している。
【００７６】
直流用めねじ電極５は、上記の交流用めねじ電極３の内径と同じであり、同一ピッチのめねじ形状を有している。
【００７７】
また、直流用めねじ電極５は、交流用めねじ電極３から当該交流用めねじ電極３の軸方向に離間して配置されている。本実施形態では、直流用めねじ電極５と交流用めねじ電極３との間には、絶縁体８が介在しているので、直流用めねじ電極５と交流用めねじ電極３との間には空間部９が形成されている。これにより、交流電球１１のおねじ電極１４が交流用めねじ電極３に螺合したときに、そのおねじ電極１４が直流用めねじ電極５に接触するおそれを回避することが可能である。
【００７８】
直流用めねじ電極５は、配線Ｌ３を介して、本体ケース２の外部の２つの直流電源、すなわち、太陽電池５２および非常用ＤＣ電源５３のそれぞれの接地側電極（負極）に接続されている。
【００７９】
直流用接点部６は、直流ＬＥＤ電球２１の直流軸部２３が直流用めねじ電極５に保持されたときに当該直流ＬＥＤ電球２１の円環状電極２５（図３（ａ）ならびに（ｂ）および図４参照）に電気的に接続するように配置されている。直流用接点部６は、本体ケース２の底面２ｃに配置されている。直流用接点部６は、直流ＬＥＤ電球２１の円環状電極２５に接触できるように、連続した円環状をしており、かつ、交流用接点部４から離間した状態で当該交流用接点部４の外周を取り囲むように当該交流用接点部４と同軸状に配置されている。直流用接点部６は、配線Ｌ４を介して、太陽電池５２の正極に接続されている。
【００８０】
図４に示されるように、ソケット１の直流用めねじ電極５は、上記の交流用めねじ電極３の内径と同じであり、同一ピッチのめねじ形状を有しているため、直流ＬＥＤ電球２１を取り付ける際には、まず、直流ＬＥＤ電球２１のおねじ電極２４を本体ケース２の挿入口２ａに近い側の交流用めねじ電極３に螺合させながら直流軸部２３を本体ケース２の奥へ進め、さらに奥へ進めることにより、直流軸部２３が交流用めねじ電極３を貫通した状態で当該交流用めねじ電極３よりも奥側で直流用めねじ電極５に保持され、当該おねじ電極２４を直流用めねじ電極５を電気的に接続することが可能である。
【００８１】
それとともに、直流軸部２３が直流用めねじ電極５に保持されたときには、直流ＬＥＤ電球２１の円環状電極２５が本体ケース２の底面２ｃの直流用接点部６に接触する。
【００８２】
また、交流用接点部４は、直流ＬＥＤ電球２１の円環状電極２５との接触が規制されるように、円環状電極２５から離間した中心の位置に配置されている。そのため、直流ＬＥＤ電球２１のおねじ電極２４が交流用めねじ電極３に接触しているときには、直流ＬＥＤ電球２１の円環状電極２５が交流用接点部４から離間しているので、直流ＬＥＤ電球２１を経由して交流用めねじ電極３と交流用接点部４との間で短絡が発生する不具合は生じない。
【００８３】
しかも、図４に示されるように、直流ＬＥＤ電球２１のおねじ電極２４をソケット１の直流用めねじ電極５に螺合させたときには、本体ケース２の底面２ｃから突出する交流接点部４が直流軸部２３の先端面２３ａの挿入孔２７に挿入されるので、直流軸部２３を本体ケース２の底面２ｃに近づけることが可能であり、直流ＬＥＤ電球２１の円環状電極２５を直流用接点部６に確実に接触させることが可能である。
【００８４】
また、直流用めねじ電極５および直流用接点部６は、図２に示されるように、交流電球１１のおねじ電極１４および中心電極１５との接触が規制されるような位置に配置されている。具体的には、直流用めねじ電極５は、交流電球１１の中心電極１５が交流用接点部４に突き当たったときにおねじ電極１４が当該直流用めねじ電極５に接触しないように、本体ケース２の奥側の位置に配置されている。また、直流用接点部６は、交流電球１１の中心電極１５が交流用接点部４に突き当たったときに中心電極１５が当該直流用接点部６に接触しないように、交流用接点部４から離間した底面２ｃ上の位置に配置されている。そのため、交流電球１１のおねじ電極１４および中心電極１５が直流用めねじ電極５および直流用接点部６に接触する不具合はない。
【００８５】
図４に示されるように、この直流ＬＥＤ電球２１をソケット１に接続することにより、直流ＬＥＤ電球２１を太陽電池５２から供給される直流電流で発光させる照明装置が構成される。具体的には、直流ＬＥＤ電球２１をソケット１に取り付けたときには、直流ＬＥＤ電球２１が直流用めねじ電極５に保持されるとともに当該直流ＬＥＤ電球２１のおねじ電極２４が直流用めねじ電極５に接触し、それとともに円環状電極２５が直流用接点部６に接触する。これにより、直流電源である太陽電池５２と直流ＬＥＤ電球２１とを含む直流回路が形成される。
【００８６】
（非常用ＬＥＤ電球３１を取り付けるための具体的構成）
つぎに、非常用ＬＥＤ電球３１、およびそれを取り付けるためのソケット１の具体的構成について説明する。
【００８７】
図５〜６に示されるように、ソケット１に接続される非常用ＬＥＤ電球３１は、非常バルブ部３２と、当該非常バルブ部３２から外方へ突出する非常軸部３３と、おねじ電極３４と、円環状電極３５とを備えている。
【００８８】
ここで、おねじ電極３４は、本発明の第１非常電極に含まれる概念であり、円環状電極３５は本発明の第２非常電極に含まれる概念である。
【００８９】
非常バルブ部３２は、直流電流が通電されることにより発光する発光部分としてＬＥＤを収容する。
【００９０】
非常軸部３３は、絶縁材からなる。非常軸部３３の先端側には、上記の直流ＬＥＤ電球２１と同様に、おねじ電極３４および円環状電極３５が互いに絶縁された状態で配置されている。
【００９１】
具体的には、おねじ電極３４は、非常軸部３３の先端側の側周面に設けられている。おねじ電極３４は、上記の直流ＬＥＤ電球２１のおねじ部２４ａと同一の外径およびピッチを有するおねじ部３４ａを有する。円環状電極３５は、非常軸部３３の先端側において、当該非常軸部３３の軸中心の周囲において、連続した円環状に形成されている。円環状電極３５は、交流電球１１の中心電極１５の外周よりも大きい内周を有している。また、円環状電極３５は、直流ＬＥＤ電球２１の円環状電極２５の内周よりも小さい外周を有している。円環状電極３５は、非常軸部３３の先端面３３ａから突出した突出部３６の先端に設けられており、おねじ電極３４から離間している。
【００９２】
おねじ電極３４および円環状電極３５は、図示しない非常軸部３３の内部配線によって、非常バルブ部３２の内部に収容されたＬＥＤと電気的に接続されている。
【００９３】
また、非常軸部３３の先端面３３ａの中心の位置には、上記の直流軸部２３と同様に、ソケット１の本体ケース２の底面２ｃから突出する交流接点部４が挿入可能な挿入孔３７が形成されている。
【００９４】
非常用ＬＥＤ電球３１における非常バルブ部３２からおねじ電極３４のまでの距離Ｙ３（図６参照）は、交流電球１１における交流バルブ部１２からおねじ電極１４までの距離Ｙ１（図２参照）より長く（具体的には、当該距離Ｙ１とおねじ電極１４の長さＹ０の和より長く）設定され、本実施形態では、上記の直流ＬＥＤ電球２１における直流バルブ部２２からおねじ電極２４までの距離Ｙ２（図４参照）と同じ距離に設定されている。これにより、非常用ＬＥＤ電球３１のおねじ電極３４は、ソケット１の交流用めねじ電極３を確実に貫通して直流用めねじ電極５に安定した状態で保持することが可能である。
【００９５】
上記のように構成された非常用ＬＥＤ電球３１のおねじ電極３４および円環状電極３５は、ソケット１の直流用めねじ電極５および非常用接点部７にそれぞれ電気的に接続される。
【００９６】
非常用接点部７は、直流用接点部６と同様に、本体ケース２の底面２ｃに配置されており、非常用ＬＥＤ電球３１の非常軸部３３が直流用めねじ電極５に保持されたときに非常用ＬＥＤ電球３１の円環状電極３５に電気的に接続するように配置されている。
【００９７】
非常用接点部７は、連続した円環状をしており、かつ、交流用接点部４および直流用接点部６から離間した状態で当該交流用接点部４の外周を取り囲むように交流用接点部４および直流用接点部６と同軸状に配置されている。本実施形態では、非常用接点部７は、交流用接点部４とそれを取り囲む円環状の直流用接点部６との間に挟まれた円環状の領域に配置されている。
【００９８】
非常用接点部７は、配線Ｌ５を介して、非常用ＤＣ電源５３の正極に接続されている。
【００９９】
非常用ＬＥＤ電球３１を取り付ける際には、上記の直流ＬＥＤ電球２１と同様の手順で取り付ければよい。まず、非常用ＬＥＤ電球３１のおねじ電極３４を本体ケース２の挿入口２ａに近い側の交流用めねじ電極３に螺合させながら非常軸部３３を本体ケース２の奥へ進め、さらに奥へ進めることにより、非常軸部３３が交流用めねじ電極３を貫通した状態で当該交流用めねじ電極３よりも奥側で直流用めねじ電極５に保持され、当該おねじ電極３４を直流用めねじ電極５を電気的に接続することが可能である。
【０１００】
それとともに、非常軸部３３が直流用めねじ電極５に保持されたときには、非常用ＬＥＤ電球３１の円環状電極３５が本体ケース２の底面２ｃの非常用接点部７に接触する。
【０１０１】
また、交流用接点部４は、非常用ＬＥＤ電球３１の円環状電極３５との接触が規制されるように、円環状電極３５から離間した中心の位置に配置されている。そのため、非常用ＬＥＤ電球３１のおねじ電極３４が交流用めねじ電極３に接触しているときには、非常用ＬＥＤ電球３１の円環状電極３５が交流用接点部４から離間しているので、非常用ＬＥＤ電球３１を経由して交流用めねじ電極３と交流用接点部４との間で短絡が発生する不具合は生じない。
【０１０２】
しかも、図４に示されるように、非常用ＬＥＤ電球３１のおねじ電極３４をソケット１の直流用めねじ電極５に螺合させたときには、本体ケース２の底面２ｃから突出する交流接点部４が非常軸部３３の先端面３３ａの挿入孔３７に挿入されるので、非常軸部３３を本体ケース２の底面２ｃに近づけることが可能であり、非常用ＬＥＤ電球３１の円環状電極３５を非常用接点部７に確実に接触させることが可能である。
【０１０３】
図６に示されるように、この非常用ＬＥＤ電球３１をソケット１に接続することにより、非常用ＬＥＤ電球３１を蓄電池などの非常用ＤＣ電源５３から供給される直流電流で発光させる照明装置が構成される。具体的には、非常用ＬＥＤ電球３１をソケット１に取り付けたときには、非常用ＬＥＤ電球３１の非常軸部３３が直流用めねじ電極５に保持されるとともに当該非常用ＬＥＤ電球３１のおねじ電極３４が直流用めねじ電極５に接触し、それとともに円環状電極３５が非常用接点部７に接触する。これにより、直流電源である非常用ＤＣ電源５３と非常用ＬＥＤ電球３１とを含む直流回路が形成される。
【０１０４】
（特徴）
（１）
本実施形態のソケット１では、交流電球１１および直流ＬＥＤ電球２１を選択的に通常の電球取付作業の要領で本発明のソケット１に取り付けるだけでそれに対応する交流用の電極および直流用の電極に正しく接続して使用することが可能である。
【０１０５】
すなわち、本体ケース２の内部には、交流電球１１を保持するとともに当該交流電球１１のおねじ電極１４に電気的に接続可能な交流用めねじ電極３、および交流電球１１の中心電極１５に電気的に接続可能な交流用接点部４が収容されているので、交流電球１１をソケット１に取り付けたときには、交流電球１１の交流軸部１３が交流用めねじ電極３に保持されるとともに交流電球１１のおねじ電極１４が交流用めねじ電極３に電気的に接続される。そして、交流軸部１３が交流用めねじ電極３に保持されたときには、交流電球１１の中心電極１５が交流用接点部４に接触する。これにより、交流電球１１を通常の電球取付作業の要領でソケット１に取り付けるだけで、交流電球１１をソケット１に対して正しく電気的に接続することが可能である。
【０１０６】
また、本体ケース２の内部には、直流ＬＥＤ電球２１を保持するとともに当該直流ＬＥＤ電球２１のおねじ電極２４に電気的に接続可能な直流用めねじ電極５、および直流ＬＥＤ電球２１の円環状電極２５に電気的に接続可能な直流用接点部６が収容されている。この直流用めねじ電極５は、交流用めねじ電極３よりも本体ケース２の奥側に収容されている。そのため、直流ＬＥＤ電球２１をソケット１に取り付けたときには、直流ＬＥＤ電球２１の直流軸部２３が本体ケース２の挿入口２ａから挿入されるとともに当該直流軸部２３より全長が短い交流用めねじ電極３を貫通して当該交流用めねじ電極３の奥側で直流用めねじ電極５に保持される。それとともに直流ＬＥＤ電球２１のおねじ電極２４が直流用めねじ電極５に電気的に接続される。そして、直流軸部２３が直流用めねじ電極５に保持されたときには、直流ＬＥＤ電球２１の円環状電極２５が直流用接点部６に接触する。これにより、直流ＬＥＤ電球２１を通常の電球取付作業の要領でソケット１に取り付けるだけで、直流ＬＥＤ電球２１をソケット１に対して正しく電気的に接続することが可能である。
【０１０７】
しかも、直流用めねじ電極５および直流用接点部６は、交流電球１１におけるおねじ電極１４および中心電極１５との接触が規制されるような位置に配置されているので、交流電球１１のこれらの電極１４、１５が直流用めねじ電極５および直流用接点部６に誤って接触するなどの不具合を確実に回避することが可能である。また、交流用接点部４は、直流ＬＥＤ電球２１における円環状電極２５との接触が規制されるような位置に配置されているので、円環状電極２５が交流用接点部４に誤って接触するなどの不具合を確実に回避することが可能である。これによって、電球の取付け作業の簡便化と接続ミスの回避を同時に達成することが可能である。
【０１０８】
（２）
また、本実施形態のソケット１では、ソケット１に接続される直流ＬＥＤ電球２１は、一般的に広く用いられている交流電球１１に対して、軸部先端側の電極の形状および配置が大きく異なっている。すなわち、直流ＬＥＤ電球２１の円環状電極２５は、直流軸部２３の先端側において、当該直流軸部２３の軸中心の周囲において、中心電極１５の外周よりも大きい内周を有するように連続した円環状に形成されている。このような直流ＬＥＤ電球２１に対応するように、このソケット１では、直流用接点部６は、連続した円環状をしており、かつ、交流用接点部４から離間した状態で交流用接点部４の外周を取り囲むように当該交流用接点部４と同軸状に配置されている。これにより、直流ＬＥＤ電球２１を通常の電球取付作業の要領でソケット１に取り付けるだけで、円環状電極２５を直流用接点部６に接触させることができる。
【０１０９】
一方、交流用接点部４は、本体ケース２の底面２ｃから挿入口２ａへ向けて突出しており、その突出長さは、交流電球１１のおねじ電極１４が直流用めねじ電極５に接触しない位置で当該交流電球１１の中心電極１５が当該交流用接点部４に突き当たることを可能にする長さに設定されているので、交流電球１１を通常の電球取付作業の要領でソケット１に取り付けるだけで、おねじ電極１４を交流用めねじ電極３に接触させるとともに、中心電極１５を本体ケース２の底面２ｃから挿入口２ａへ向けて突出している交流用接点部４に接触させることができる。その結果、交流電源５１から交流電球１１へ交流電流を供給して照明を行うことが可能である。
【０１１０】
しかも、交流電球１１の中心電極１５は、おねじ電極１４が直流用めねじ電極５に接触しない位置で本体ケース２の底面２ｃから突出する交流用接点部４に突き当たるので、おねじ電極１４と直流用めねじ電極５との接触を確実に回避することができる。さらに、中心電極１５が本体ケース２の底面２ｃから突出する交流用接点部４に突き当たることによって、中心電極１５も本体ケース２の底面２ｃの直流用接点部６との接触を確実に回避することができる。これによって、電球の取付け作業の簡便化と接続ミスの回避を同時に達成することが可能である。
【０１１１】
（３）
また、本実施形態のソケット１では、直流用めねじ電極５が交流用めねじ電極３から当該交流用めねじ電極３の軸方向に離間しているので、交流電球１１が交流用めねじ電極３に保持されたときにおねじ電極１４が直流用めねじ電極５に接触するおそれを確実に回避することが可能である。
【０１１２】
（４）
また、本実施形態では、一般的に広く用いられている交流電球１１の形状と異なる直流電流で使用可能な非常用ＬＥＤ電球３１をソケット１に接続できるようにしているので、１つのソケット１に交流電球１１および直流ＬＥＤ電球２１とは別に、非常用ＬＥＤ電球３１を取り付けるだけでそれに対応する電極（直流用めねじ電極５および非常用接点部７）に正しく接続して使用することが可能である。
【０１１３】
この非常用ＬＥＤ電球３１は、一般的に広く用いられている交流電球１１に対して、直流ＬＥＤ電球２１と同様に、軸部先端側の電極の形状および配置が大きく異なっている。すなわち、非常用ＬＥＤ電球３１の円環状電極３５は、非常軸部３３の先端側において、当該非常軸部３３の軸中心の周囲において、中心電極１５の外周よりも大きい内周を有するように連続した円環状に形成されている。このような非常用ＬＥＤ電球３１に対応するように、ソケット１は、交流用めねじ電極３が非常用接点部７をさらに備えた構成を有している。非常用接点部７は、連続した円環状をしており、かつ、交流用接点部４および直流用接点部６から離間した状態で当該交流用接点部４の外周を取り囲むように交流用接点部４および直流用接点部６と同軸状に配置されている。これにより、非常用ＬＥＤ電球３１を通常の電球取付作業の要領でソケット１に取り付けるだけで、おねじ電極３４を直流用めねじ電極５に接触させるとともに、円環状電極３５を非常用接点部７に接触させて、当該非常用ＬＥＤ電球３１を使用することが可能である。具体的には、非常用ＬＥＤ電球３１をソケット１に取り付けたときには、非常用ＬＥＤ電球３１の非常軸部３３が本体ケース２の挿入口２ａから挿入されるとともに非常軸部３３より全長が短い交流用めねじ電極３を貫通して当該交流用めねじ電極３の奥側で直流用めねじ電極５に保持され、それとともに非常用ＬＥＤ電球３１のおねじ電極３４が直流用めねじ電極５に電気的に接続される。そして、非常軸部３３が直流用めねじ電極５に保持されたときには、非常用ＬＥＤ電球３１の円環状電極３５が非常用接点部７に接触する。これにより、非常用ＬＥＤ電球３１に直流電流を供給することが可能になる。
【０１１４】
（５）
また、本実施形態の直流ＬＥＤ電球２１は、一般的に広く用いられている交流電球１１に対して、軸部先端側の電極の形状および配置が大きく異なっている。すなわち、直流ＬＥＤ電球２１の円環状電極２５は、直流軸部２３の先端側において、当該直流軸部２３の軸中心の周囲において、中心電極１５の外周よりも大きい内周を有するように連続した円環状に形成されている。このような直流ＬＥＤ電球２１に対応するように、直流用接点部６は、連続した円環状をしており、かつ、交流用接点部４の外周を取り囲むように当該交流用接点部４と同軸状に配置されている。これにより、直流ＬＥＤ電球２１を通常の電球取付作業の要領でソケット１に取り付けるだけで、直流軸部２３が交流用めねじ電極３よりも奥側で直流用めねじ電極５に保持されたときに、おねじ電極２４を直流用めねじ電極５に接触させるとともに、円環状電極２５を直流用接点部６に確実に接触させることができる。
【０１１５】
（６）
また、本実施形態の直流ＬＥＤ電球２１では、直流バルブ部２２からおねじ電極２４までの距離Ｙ２が交流電球１１における交流バルブ部１２からおねじ電極１４までの距離Ｙ１より長く設定されているので、直流軸部２３は、交流用めねじ電極３を確実に貫通して直流用めねじ電極５により安定した状態で保持されることが可能である。
【０１１６】
（７）
また、本実施形態では、直流ＬＥＤ電球２１の発光部分がＬＥＤからなり、当該ＬＥＤに直流電流をそのまま通電して発光することが可能であり、ＡＣ／ＤＣ変換時の変換損失が生じることなく省電力化を達成できる。
【０１１７】
（８）
また、本実施形態では、非常用ＬＥＤ電球３１の発光部分がＬＥＤからなり、当該ＬＥＤに直流電流をそのまま通電して発光することが可能であり、ＡＣ／ＤＣ変換時の変換損失が生じることなく省電力化を達成できる。
【０１１８】
（９）
また、本実施形態の図４に示される照明装置は、ソケット１と直流ＬＥＤ電球２１とを備えている。ソケット１に接続される直流ＬＥＤ電球２１は、前述のように、一般的に広く用いられている交流電球１１に対して、軸部先端側の電極の形状および配置が大きく異なっている。すなわち、直流ＬＥＤ電球２１の円環状電極２５は、直流軸部２３の先端側において、当該直流軸部２３の軸中心の周囲において、中心電極１５の外周よりも大きい内周を有するように連続した円環状に形成されている。このような直流ＬＥＤ電球２１に対応するように、直流用接点部６は、連続した円環状をしており、かつ、交流用接点部４の外周を取り囲むように当該交流用接点部４と同軸状に配置されている。これにより、直流ＬＥＤ電球２１を通常の電球取付作業の要領でソケット１に取り付けるだけで、直流軸部２３が交流用めねじ電極３よりも奥側で直流用めねじ電極５に保持されたときに、おねじ電極２４を直流用めねじ電極５に接触させるとともに、円環状電極２５を直流用接点部６に確実に接触させることができる。そして、おねじ電極２４と直流用接点部６との間に太陽電池５２からの直流電流を供給することにより、直流ＬＥＤ電球２１を用いて照明を行うことができる。
【０１１９】
（１０）
また、本実施形態の照明システムでは、交流電球１１および直流ＬＥＤ電球２１を選択的に通常の電球取付作業の要領で本発明のソケット１に取り付けるだけでそれに対応する交流用の電極および直流用の電極に正しく接続して使用することが可能である。
【０１２０】
すなわち、交流電球１１をソケット１に取り付けたときには、交流電球１１の交流軸部１３が交流用めねじ電極３に保持されるとともに交流電球１１のおねじ電極１４が交流用めねじ電極３に接触し、それとともに交流電球１１の中心電極１５が交流用接点部４に接触する。それによって、当該ソケット１を介して当該交流電球１１に交流電源５１からの交流電流を供給して照明を行うことができる。
【０１２１】
一方、直流ＬＥＤ電球２１をソケット１に取り付けたときには、直流ＬＥＤ電球２１の直流軸部２３が直流用めねじ電極５に保持されるとともに直流ＬＥＤ電球２１のおねじ電極２４が直流用めねじ電極５に接触し、それとともに直流ＬＥＤ電球２１の円環状電極２５が直流用接点部６に接触する。それによって、当該ソケット１を介して当該直流ＬＥＤ電球２１に太陽電池５２などの直流電源からの直流電流を供給して照明を行うことができる。
【０１２２】
しかも、直流用めねじ電極５および直流用接点部６は、交流電球１１におけるおねじ電極１４および中心電極１５との接触が規制されるような位置に配置されているので、交流電球１１のこれらの電極１４、１５が直流用めねじ電極５および直流用接点部６に誤って接触するなどの不具合を確実に回避することが可能である。また、交流用接点部４は、直流ＬＥＤ電球２１における円環状電極２５との接触が規制されるような位置に配置されているので、円環状電極２５が交流用接点部４に誤って接触するなどの不具合を確実に回避することが可能である。これによって、電球の取付け作業の簡便化と接続ミスの回避を同時に達成することが可能である。
【０１２３】
（１１）
また、本実施形態の照明システムでは、太陽電池５２で得られた直流電流をＡＣ／ＤＣ変換せずにそのままソケット１を介して、直流ＬＥＤ電球２１へ供給することが可能であり、変換損失が生じることなく省電力化を達成できる。しかも、太陽電池５２による自家発電の電気を当該太陽電池５２が取り付けられた施設の照明に直接利用できるので、ランニングコストを低減することが可能で有る。また、太陽電池５２によって発電された電気を利用できるので、エコロジーの点で好ましい。
【０１２４】
（変形例）
（Ａ）
上記の実施形態では、直流電源として太陽電池５２を例に挙げて説明したが、本発明はこれに限定されるものではなく、他の直流電源として燃料電池や蓄電池などを用いてもよい。
【０１２５】
（Ｂ）
また、上記実施形態では、３種類の電球１１、２１、３１とソケット１との結合部分がおねじとめねじとの組合せで構成されているが、本発明はこれに限定されるものではなく、これら電球とソケットとの結合部分は他の機械的な結合または保持構造を採用してもよい。
【０１２６】
（Ｃ）
上記実施形態では、直流用接点部６および非常用接点部７がそれぞれ連続した円環状をしており、かつ、直流ＬＥＤ電球２１の第２直流電極（円環状電極２５）および非常用ＬＥＤ電球３１の第２非常電極（円環状電極３５）も連続した円環状をしている例が示されているが、本発明はこれに限定されるものではなく、断続した円環状であってもよい。その場合も、直流用接点部６と円環状電極２５との電気的接続、および非常用接点部７と円環状電極３５との電気的接続が可能である。
【０１２７】
（Ｄ）
また、上記実施形態のソケット１は、３種類の電球、すなわち、交流電球１１、直流ＬＥＤ電球２１および非常用ＬＥＤ電球３１が接続できるように、交流用接点部４、直流用接点部６および非常用接点部７をそれぞれ備えているが、本発明はこれに限定されるものではない。本発明のソケットでは、少なくとも交流電球１１および直流ＬＥＤ電球２１が接続できればよいので、非常用接点部７を省略してもよい。
【０１２８】
（Ｅ）
また、上記実施形態の直流ＬＥＤ電球２１は、ソケット１の直流用接点部６に接続可能な円環状電極２５を備えているが、さらに、非常用接点部７に接続可能な円環状電極を追加した構成であってもよい。そのような構成では、図１および図４に示されるように、直流ＬＥＤ電球２１のおねじ電極２４は、直流用めねじ電極５を介して、太陽電池５２および非常用ＤＣ電源５３の負極側にそれぞれ接続される。それとともに、直流ＬＥＤ電球２１の円環状電極２５は、直流用接点部６を介して太陽電池５２の正極側に接続され、さらに、追加した円環状電極は、非常用接点部７を介して非常用ＤＣ電源５３の正極側に常時接続される。それによって、直流ＬＥＤ電球２１は、通常時には太陽電池５２からの直流電流を受けて発光することが可能であり、また、非常時などの場合には太陽電池５２からの給電がなくても非常用ＤＣ電源５３からの直流電流を受けて発光することが可能になる。
【０１２９】
（Ｆ）
また、上記実施形態の直流ＬＥＤ電球２１では、直流バルブ部２２の内部に直流電流が通電されることにより発光する発光部分としてＬＥＤ（図示せず）が収容されている例が示されているが、本発明の変形例として例えば、図７に示されるように、通常灯用電球および非常用電球として複数のＬＥＤ６１、６２が直流バルブ部２２に収容され、各ＬＥＤを太陽電池からの直流電流および非常用電源からの直流電流によってそれぞれ発光するようにしてもよい。
【０１３０】
具体的には、本発明の変形例として図７に示される直流ＬＥＤ電球２１は、通常灯用ＬＥＤ６１と、非常灯用ＬＥＤ６２と、直流バルブ部２２と、当該直流バルブ部２２から外方へ突出する直流軸部２３と、おねじ電極２４と、通常灯用の円環状電極２５と、非常灯用の円環状電極２８とを備えている。ここで、直流軸部２３、おねじ電極２４、および円環状電極２５は、上記の図３（ａ）ならびに（ｂ）および図４に示される直流ＬＥＤ電球２１が備えているものと共通している。
【０１３１】
非常灯用の円環状電極２８は、上記の図５〜６に示される非常用ＬＥＤ電球３１の円環状電極３５と同様に、直流軸部２３の先端側において、当該直流軸部２３の軸中心の周囲において、連続した円環状に形成されている。非常灯用の円環状電極２８は、交流電球１１の中心電極１５（図２参照）の外周よりも大きい内周を有し、かつ、通常灯用の円環状電極２５の内周よりも小さい外周を有している。非常灯用の円環状電極２８は、直流軸部２３の先端面から突出した突出部２９の先端に設けられており、おねじ電極２４から離間している。
【０１３２】
直流バルブ部２２は、合成樹脂などからなる中空のケースなどからなり、その内部には通常灯用ＬＥＤ６１および非常灯用ＬＥＤ６２が収容されている。
【０１３３】
通常灯用ＬＥＤ６１は、共通配線６３によっておねじ電極２４に接続されるとともに、配線６４によって通常灯用の円環状電極２５に接続されている。なお、通常灯用の直流電球として、ＬＥＤ以外にも白熱電球などの直流電球を用いてもよい。
【０１３４】
また、非常灯用ＬＥＤ６２は、共通配線６３によっておねじ電極２４に接続されるとともに、配線６５によって非常灯用の円環状電極２８に接続されている。
【０１３５】
図７に示されるように、上記のように構成された直流ＬＥＤ電球２１をソケット１に取り付けたときには、直流ＬＥＤ電球２１が直流用めねじ電極５に保持されるとともに当該直流ＬＥＤ電球２１のおねじ電極２４が直流用めねじ電極５に接触し、それとともに通常灯用の円環状電極２５が直流用接点部６に接触する。これにより、直流電源である太陽電池５２と通常灯用ＬＥＤ６１とを含む直流回路が形成される。それとともに、この通常灯用の直流回路とは別に、非常灯用の円環状電極２８が非常用接点部７に接触することによって、非常用ＤＣ電源５３と非常灯用ＬＥＤ６２とを含む非常灯用の直流回路が形成される。これにより、図７に示される直流ＬＥＤ電球２１によって、通常の使用時では太陽電池５２からの直流電流によって通常灯用ＬＥＤ６１を点灯させ、非常時には、非常用ＤＣ電源５３からの直流電流によって非常灯用ＬＥＤ６２を点灯させことが可能であるので、１個の直流ＬＥＤ電球２１によって通常の使用時と非常時の両方における照明を行うことが可能である。
【０１３６】
なお、バッテリーなどの非常用ＤＣ電源５３への負荷を減らしてバッテリーを長持ちさせるために、非常用ＬＥＤ６２は、通常灯用ＬＥＤ６１よりも消費電力が少ない方が好ましい。例えば、複数の通常灯用ＬＥＤ６１を直列接続して用いる場合には、非常用ＬＥＤ６２は通常灯用ＬＥＤ６１よりも個数を少なくするのが好ましい。
【０１３７】
（Ｇ）
また、本発明の他の変形例として、上記変形例（Ｆ）と同様に、交流用電球についても、図８に示されるように、通常灯用電球および非常用電球として複数のＬＥＤ８１、８２が交流バルブ部７２に収容され、各ＬＥＤを交流電流から変換された直流電流および非常用電源からの直流電流によってそれぞれ発光するようにしてもよい。
【０１３８】
具体的には、本発明の変形例として図８に示される交流ＬＥＤ電球７１は、通常灯用ＬＥＤ８１と、非常灯用ＬＥＤ８２と、交流バルブ部７２と、当該交流バルブ部２２から外方へ突出する交流軸部７３と、非常軸部８０と、交流軸部７３と非常軸部８０とを連結する連結部７６と、通常灯用のおねじ電極７４と、通常灯用の中心電極７５と、非常灯用のおねじ電極７７と、非常灯用の円環状電極７８と、交流電流を直流電流に変換するコンバータ８３とを備えている。ここで、交流軸部７３、通常灯用のおねじ電極７４、および中心電極７５は、それぞれ、上記の図２に示される交流電球１１が備えている交流軸部１３、おねじ電極１４および中心電極１５と同じ構成を有している。
【０１３９】
交流バルブ部７２は、合成樹脂などからなる中空のケースなどからなり、その内部には通常灯用ＬＥＤ８１および非常灯用ＬＥＤ８２が収容されている。
【０１４０】
連結部７６は、円環状の部材からなり、交流軸部７３の先端側において、中心電極７５の周囲に配置されている。
【０１４１】
非常軸部８０は、軸中心に貫通孔８０ａを有する円環状の部材からなり、交流軸部７４の先端面に連結部７６を介して設けられている。貫通孔８０ａは、ソケット１の本体ケース２の底面２ｃから突出する交流接点部４が挿入可能な大きさを有する。
【０１４２】
非常灯用のおねじ電極７７は、非常軸部８０の側周面に設けられている。非常灯用のおねじ電極７７は、連結部７６を介して通常灯用のおねじ電極７４から離間している。非常灯用のおねじ電極７７は、上記の直流ＬＥＤ電球２１のおねじ部２４ａと同一の外径およびピッチを有するおねじ部７７ａを有する。
【０１４３】
ここで、連結部７６の長さは、通常灯用のおねじ電極７４がソケット１の交流用めねじ電極３に螺合したときに非常灯用のおねじ電極７７がソケット１の直流用めねじ電極５に螺合することが可能な長さに設定されている。
【０１４４】
非常灯用の円環状電極７８は、上記の図５〜６に示される非常ＬＥＤ電球３１の円環状電極３５と同様に、非常軸部８０の先端側において、当該おねじ電極７７の軸中心の周囲において、連続した円環状に形成されている。非常灯用の円環状電極７８は、交流電球１１の中心電極１５（図２参照）の外周よりも大きい内周を有し、かつ、図３〜４に示される直流ＬＥＤ電球２１の円環状電極２５の内周よりも小さい外周を有している。非常灯用の円環状電極７８は、交流軸部７３の先端面から突出した突出部７９の先端に設けられており、非常灯用のおねじ電極７７から離間している。
【０１４５】
コンバータ８３は、交流軸部７３の内部に配置されている。コンバータ７３は、配線８４、８５を介して通常灯用のおねじ電極７４および中心電極７５にそれぞれ接続されている。コンバータ８３は、これらおねじ電極７４および中心電極７５を介して給電された交流電流を直流電流に変換することが可能である。
【０１４６】
通常灯用ＬＥＤ６１は、交流軸部７３の内部を通る配線８６、８７によってコンバータ８３に接続され、コンバータ８３からＡＣ／ＤＣ変換後の直流電流を受けることが可能である。なお、通常灯用の交流電球として、コンバータとＬＥＤとを組み合わせた交流用ＬＥＤ電球以外にも白熱電球や蛍光灯タイプの交流用電球を用いてもよい。
【０１４７】
また、非常灯用ＬＥＤ８２は、配線８９によって非常灯用のおねじ電極７７に接続されるとともに、配線８８によって非常灯用の円環状電極７８に接続されている。
【０１４８】
図８に示されるように、上記のように構成された交流ＬＥＤ電球７１をソケット１に取り付けたときには、交流ＬＥＤ電球７１が交流用めねじ電極３に保持されるとともに当該交流ＬＥＤ電球７１の通常灯用のおねじ電極７４が交流用めねじ電極３に接触し、それとともに中心電極７５が非常軸部８０の貫通孔８０ａに挿入された交流用接点部４に接触する。これにより、交流電源５１、コンバータ８３および通常灯用ＬＥＤ８１を含む交流回路が形成される。それとともに、この通常灯用の交流回路とは別に、非常灯用のおねじ電極７７が直流用めねじ電極５に接触し、かつ、非常灯用の円環状電極７８が非常用接点部７に接触することによって、非常用ＤＣ電源５３と非常灯用ＬＥＤ６２とを含む直流回路が形成される。これにより、図８に示される交流ＬＥＤ電球７１によって、通常の使用時では交流電源５１からの交流電流によって通常灯用ＬＥＤ７１を点灯させ、非常時には、非常用ＤＣ電源５３からの直流電流によって非常灯用ＬＥＤ８２を点灯させことが可能であるので、１個の交流ＬＥＤ電球７１によって通常の使用時と非常時の両方における照明を行うことが可能である。
【０１４９】
なお、この交流ＬＥＤ電球７１においても、バッテリーなどの非常用ＤＣ電源５３への負荷を減らしてバッテリーを長持ちさせるために、非常用ＬＥＤ８２は、通常灯用ＬＥＤ８１よりも消費電力を少ない方が好ましい。例えば、複数の通常灯用ＬＥＤ８１を直列接続して用いる場合には、非常用ＬＥＤ８２は通常灯用ＬＥＤ８１よりも個数を少なくするのが好ましい。
【符号の説明】
【０１５０】
１  電球用ソケット
２  本体ケース
３  交流用めねじ電極(交流電球保持部)
４  交流用接点部（交流用接点）
５  直流用めねじ電極（直流電球保持部）
６  直流用接点部（直流用接点）
７  非常用接点部
１１  交流電球（交流用の電球）
１２  交流バルブ部
１３  交流軸部
１４  おねじ電極（第１交流電極）
１５  中心電極（第２交流電極）
２１  直流ＬＥＤ電球（直流用の電球）
２２  直流バルブ部
２３  直流軸部
２４  おねじ電極（第１直流電極）
２５  円環状電極（第２直流電極）
３１  非常用ＬＥＤ電球（非常用の電球）
３２  非常バルブ部
３３  非常軸部
３４  おねじ電極（第１非常電極）
３５  円環状電極（第２非常電極）
５１  交流電源
５２  太陽電池（直流電源）
５３  非常用直流（ＤＣ）電源
６１  通常灯用ＬＥＤ
６２  非常灯用ＬＥＤ
７１  交流ＬＥＤ電球
８１  通常灯用ＬＥＤ
８２  非常灯用ＬＥＤ
８３  コンバータ
【図１】
0005840509.tif 000002
【図２】
0005840509.tif 000003
【図３】
0005840509.tif 000004
【図４】
0005840509.tif 000005
【図５】
0005840509.tif 000006
【図６】
0005840509.tif 000007
【図７】
0005840509.tif 000008
【図８】
0005840509.tif 000009